【手続補正書】
【提出日】平成19年2月9日(2007.2.9)
【手続補正１】
【補正対象書類名】明細書
【補正対象項目名】０００７
【補正方法】変更
【補正の内容】
【０００７】
また、従来より多数のコンタクトを必要とする現況においては、従来以上に低挿入力化されたコネクタが必要になる。実開昭５９−１１０９９０公報に開示されるような零入力嵌合または実開平５−５７７８５公報に開示されるような低入力嵌合が利用され得るが、後者の方がその構造はより単純であり、製造も容易である。また、実開平５−５７７８５には、雌型コネクタのコンタクト間に付加部材を挿入して、対向するコンタクト間隔が増大するよう予荷重をかけることによって、雌型コネクタと雄型コネクタとの嵌合初期の挿入力を低減している。しかし、この考案は、付加部材という付加的要素を要する。
【手続補正２】
【補正対象書類名】明細書
【補正対象項目名】００２９
【補正方法】変更
【補正の内容】
【００２９】
図１は、本実施例によるモジュール型コネクタを示す図であり、（ａ）、（ｃ）は側面図、（ｂ）は平面図である。図２は、図１のコネクタアセンブリの部分拡大図であり、（ａ）は拡大平面図、（ｂ）は拡大側面図である。図３は、図１又は図２の線A-Aに沿う断面図である。
【手続補正３】
【補正対象書類名】明細書
【補正対象項目名】００３２
【補正方法】変更
【補正の内容】
【００３２】
図２は、モジュール型コネクタ１００の拡大図を示す。ハウジング１２０は頂側から見て互いに系合し合う形状の系合端１３６，１３７を有し、その両側面に沿って剛性支持板１５０、１５１が配置される。図において系合端１３６は矩形の凸部であり、凸部に括れは設けられていないが、他の形態としては系合端１３６の付け根の幅を系合端１３６の中央の幅より狭くすることにより、系合端１３６に括れを設けても良い。この場合、系合端１３６は、球状に膨らんだ形状を有しても良い。また系合端１３６は、付け根の幅が先端の幅より狭い、台形の形状を有していても良い。これらの場合において系合端１３７は、系合端１３６に系合すべく、球状または台形の凹形状を有することが好ましい。
【手続補正４】
【補正対象書類名】明細書
【補正対象項目名】００３３
【補正方法】変更
【補正の内容】
【００３３】
剛性支持板１５０、１５１の孔１６０は、第１ハウジングの延長部１７２の側面に存在する突起１８０（図５参照）を受容し、ハウジング１２０を、その連結する長手方向に沿って支持する。張出部１３２が、ハウジング１２０から張り出して、剛体支持板１５１と嵌合する形状とされる。この張出部１３２は、剛体支持板１５１と勘合する（図３参照）とともに、剛体支持板１５１にある長手方向に隣り合う凸部１３３とそれら凸部１３３の間の剛体支持板１５１から形成される大きな受容溝１３４に、受容される。張出部１３２が受容溝１３４に受容されることにより、張出部１３２の長手方向の両端面は、凸部１３３の側面に当接する。張出部１３２と剛体支持板１５１との勘合、および張出部１３２の長手方向の両端面と凸部１３３の側面との当接が、剛体支持板１５１とハウジング１２０との相対的な位置を規定する。
【手続補正５】
【補正対象書類名】明細書
【補正対象項目名】００４７
【補正方法】変更
【補正の内容】
【００４７】
例えば、図６B、Cのように、基体１１６から接触部１９０a、１９０cまでの距離をL1、基体１１６から接触部１９０bまでの距離をL2、基体１１６から接触部１９１a、１９１cまでの距離をL3、基体１１６から接触部１９１bまでの距離をL4とした場合に、L1をL2より大きくし、かつL3をL4より小さくする。コンタクト１１４，１１８は、それぞれ同一寸法、同一形状のものとして形成されている。図６では、コンタクト１１４，１１８および基体１１６について、記述したが、コンタクト１１５、１１９および基体１１７についても同様である。基体１１６および基体１１７は、図５に示す第１ハウジング１７０のフレーム１７１に横並びに取り付けられる。図４および図５を参照し、横梁１４１，１４２は、互いにその間隔ピッチの約半分だけずらされている。従って、各３つのコンタクトを１つの組としたコンタクト１１５、１１９のうち、コンタクト１１５aおよびコンタクト１１９aはコンタクト１１４cおよびコンタクト１１８cとそれぞれ対向する。コンタクト１１５bおよびコンタクト１１９bは各組のコンタクトの間の部分に向かっている。従って、コンタクト１１５bおよびコンタクト１１９bには対向するコンタクトが無い。コンタクト１１５cおよびコンタクト１１９cは、コンタクト１１４a、１１４b、１１４cおよびコンタクト１１８a、１１８b、１１８cの1つの組のコンタクトと隣り合うコンタクトの組のうちのコンタクト１１４dおよび１１８dとそれぞれ対向する。
【手続補正６】
【補正対象書類名】明細書
【補正対象項目名】００５８
【補正方法】変更
【補正の内容】
【００５８】
プラグ型コネクタ２００は、プラグ部２２１および基体部２２３が一体的に形成された細長の支持部材２２６（図１１参照）と、支持部材２２６にその長手方向に配列して取り付けられるコンタクト２５０と、支持部材２２６を回路基板に固定するための固定用部材２３０とを有する。固定用部材２３０はコンプライアント部２３１を有し、コンプライアント部２３１が回路基板に形成される貫通孔に系合することによって、雄型コネクタ２００は回路基板に対して強固に固定され得る。基体２２３の側面２２４には固定用部材２３０の固定用部材受容溝２２５が形成される。この固定用部材受容溝２２５内には板２４０が受容され、支持部材２２６が補強される。コンタクト２５０は、プラグ部２２１の両側面２２２に背中あわせに各３つの組として配列され、回路基板に弾性接触するための基板接触部２６５，２６６と、プラグ部２２１の両側面２２２に沿って位置する接触部２５２を有する。
支持部材２２６のプラグ部２２１の両側面２２２には、上記各３つの組として配列されているコンタクト２５０の、その組と組との間に、突出部２１０が設けられている。好ましくは、この突出部２１０は、プラグ部２２１と、即ち、支持部材２２６と一体形成されている。この突出部２１０については後述する。
【手続補正７】
【補正対象書類名】明細書
【補正対象項目名】００６１
【補正方法】変更
【補正の内容】
【００６１】
この雄型コネクタの基体部２２３を雌型コネクタ１００の挿入用開口１５３（図９参照）からコネクタ構造１１０に挿入すると、雄型コネクタ２００のコンタクト２５０a 、２５０c、２６０a、２６０cが、雌型コネクタ１００のコンタクト１１４a 、１１４c、１１５a、１１５c（図６参照）とそれぞれ接触し、そのコンタクト１１４a 、１１４c、とコンタクト１１５a、１１５cとの間隔が押し広げられる。その後、雌型コネクタ１００の接触部１９０a 、１９０c、１９２a、１９２cが、それぞれ雄型コネクタ２００のコンタクト２５０a 、２５０c、２６０a、２６０cの接触部（基体部２２３と垂直になっている部分）と接触する。その状態が、雌型コネクタ１００のコンタクト１１４a 、１１４c、とコンタクト１１５a、１１５cとの間隔が最大に広げられた状態である。その後、雄型コネクタ２００のコンタクト２５０b、２６０bが、雌型コネクタ１００のコンタクト１１４b、１１５bとそれぞれ接触して、コンタクト１１４bとコンタクト１１５bとの間隔が押し広げられる。雄型コネクタのプラグ部２２１を雌型コネクタ１００の挿入用開口１５３からコネクタ構造１１０に十分挿入した状態においては、雌型コネクタ１００のコンタクト１１４b、１１５bの各接触部１９０b、１９２bが、雄型コネクタのコンタクト２５０b、２６０bの各接触部とそれぞれ接触する。
【手続補正８】
【補正対象書類名】明細書
【補正対象項目名】００６４
【補正方法】変更
【補正の内容】
【００６４】
図１３は、その挿入力と挿入距離との関係の簡略グラフを示す。縦軸は雄型コネクタ２００と雌型コネクタ１００の両コネクタの挿入力を示し、横軸はそれらの挿入距離を示す。原点は、両コネクタの接触当初（挿入当初）を示す。
本実施例においては、実線で示すように、雌型コネクタ１００の接触部１９０a、１９０c、１９２a、１９２cが押し広げられる際に、ピーク２が生じる。その後、接触部１９０a、１９０c、１９２a、１９２cが最大に押し広げられた状態で、一旦挿入力は低下し、さらにその後、接触部１９０b、１９２bが押し広げられる際に、ピーク３が生じる。
【手続補正９】
【補正対象書類名】明細書
【補正対象項目名】００６５
【補正方法】変更
【補正の内容】
【００６５】
従来のものは、破線で示す。全コンタクトの接触部を押し広げるために著しく大きなピーク１のような挿入力が必要になる。
【手続補正１０】
【補正対象書類名】明細書
【補正対象項目名】００７０
【補正方法】変更
【補正の内容】
【００７０】
突出部２１０は、雄型コネクタ２００が、雌型コネクタ１００に挿入される際に、雄型コネクタ２００のコンタクト２５０、２６０が、直接に雌型コネクタ１００のハウジング１２０に当接することを防止する。近時においては、必要コンタクト数が増加の傾向にある。電気機器においては、多数のコネクタアセンブリをその短手方向に並べ、多数の導体間を接続することにより、その傾向に対処している。このような場合には、嵌合する雌雄のコネクタが衝突したり、誤ったコネクタと嵌合する機会が増加する。例えば、IC試験装置においては、該装置本体内に雌型コネクタを装着した多数の回路基板が雌型コネクタの短手方向に並べて配備される。装置本体には水平にガイド用ピンが設けられ、雌型コネクタには予め孔１０１（図１参照）が設けられている。雌型コネクタの孔１０１にガイド用ピンを挿入し、該装置本体内にこれらのボードを並べて導入する。これらの回路基板および雌型コネクタは装置に対して固定されている。一方、雄型コネクタは、マザーボード、パフォーマンスボード、インタフェースボード等に固定される。この雄型コネクタ付きボードを、雌型コネクタの嵌合位置まで移動させるが、通常、かかる位置に正確に配置することは困難である。その位置のずれが著しい場合には、該装置内部の雄型コネクタとこれらの雌型コネクタアセンブリとの衝突や誤挿入が生じる。また、両コネクタが衝突または当接することによって、雄型コネクタのコンタクト部が雌型コネクタの絶縁ハウジングを切削する。この切削によって生じた削りかす等の異物が接触部に侵入して接触不良を生じるおそれがある。そこで、雄型コネクタ２００に突出部２１０を設けることによって、雌型コネクタの絶縁ハウジングの切削を防止する。
【手続補正１１】
【補正対象書類名】明細書
【補正対象項目名】００７２
【補正方法】変更
【補正の内容】
【００７２】
従って、本実施例による雄型コネクタ２００は、コンタクト２５０、２６０の接触面よりも、雄型コネクタ２００の短手方向に、張り出しているように突出部２１０を形成し、それによって、コンタクト２５０，２６０が直接に雌型コネクタ１００のハウジング１２０に当接することを防止している。突出部２１０を設けたことにより、突出部２１０とハウジング１２０が当接する場合が生ずる。従って、突出部２１０は、ハウジング１２０と同じ材料から形成することが好ましく、もしくは、同等の軟性を有するまたはそれより軟らかい材料で形成してもよい。
【手続補正１２】
【補正対象書類名】明細書
【補正対象項目名】００７５
【補正方法】変更
【補正の内容】
【００７５】
図１５は、従来の雄型コネクタによる嵌合の様子を図示している。図１４と比較し、雄型コネクタのコンタクト部が、ハウジングに当接していることが理解される。
【手続補正１３】
【補正対象書類名】明細書
【補正対象項目名】００８１
【補正方法】変更
【補正の内容】
【００８１】
【図１】図１は、本実施例によるモジュール型コネクタを示す図であり、（ａ）、（ｃ）は側面図、（ｂ）は平面図である。
【図２】図２は、図１のコネクタアセンブリの部分拡大図であり、（ａ）は拡大平面図、（ｂ）は拡大側面図である。
【図３】図３は、図１又は図２の線A-Aに沿う断面図。
【図４】図４は、モジュール型コネクタのコンタクトおよび基体の拡大斜視図。
【図５】図５は、第１ハウジングの拡大斜視図。
【図６】図６は、モジュール型コネクタのコンタクトおよびそれらを支持する基体の拡大正面図（図６A）と拡大側断面図（図６B、C）。
【図７】図７は、第２ハウジングの拡大斜視図。
【図８】図８は、第２ハウジングの一部分を破断し、その係止用小孔部分の内側を示した図。
【図９】図９は、モジュール型コネクタのコンタクトが、係止用小孔に系合している状態の第２ハウジングの平面図。
【図１０】図１０は、本実施例による雄型コネクタを示す図。
【図１１】図１１は、雄型コネクタの内部構造の図。
【図１２】図１２は、雄型コネクタが、雌型コネクタに嵌合する様子、および回路基板と嵌合する様子を示した図。
【図１３】図１３は、挿入力と挿入距離との関係の簡略グラフ。
【図１４】図１４は、突出部を有する雄型コネクタが、雌型コネクタの挿入用開口に挿入される様子を示した図。
【図１５】図１５は、従来の雄型コネクタによる嵌合の様子を示した図。